(57)【要約】【課題】  ＬＥＤによる電磁波で誘虫するものでは、光が単色の集まりになり、個々の色が認識でき、自然光らしくなく誘虫効果が乏しい。これでは、多くの虫を誘引することはできない。そこで、誘虫効果の大きい誘虫装置を提供する。【解決手段】  波長２３０〜４００ｎｍの電磁波を放射する紫外線用ＬＥＤを少なくとも１つと、波長４００ｎｍ以上の電磁波を放射する可視光用ＬＥＤを少なくとも１つ有し、それらのＬＥＤからの電磁波を反射して装置外に放射する反射具を有するものであって、該反射具は乱反射するもの。【選択図】  図２
2018027028.tif 000002
【特許請求の範囲】
【請求項１】
波長２３０〜４００ｎｍの電磁波を放射する紫外線用ＬＥＤを少なくとも１つと、波長４００ｎｍ以上の電磁波を放射する可視光用ＬＥＤを少なくとも１つ有し、それらのＬＥＤからの電磁波を反射して装置外に放射する反射具を有するものであって、該反射具は乱反射することを特徴とする誘虫装置。
【請求項２】
該ＬＥＤからの電磁波は、反射せず直接装置外に出るものは実質的にない請求項１記載の誘虫装置。
【請求項３】
該反射具は、粘着剤が塗布されているものである請求項１又は２記載の誘虫装置。
【請求項４】
該反射具には、異なる波長を反射する複数の範囲に分割するよう表面処理を施したものである請求項１乃至３のいずれか１項に記載の誘虫装置。
【発明の詳細な説明】
【技術分野】
【０００１】
本発明は、誘虫装置に関するものである。
【背景技術】
【０００２】
誘虫装置は、捕虫（殺虫を含む）器等に使用されるもので、虫（主として飛翔昆虫）が好む電磁波を放射して虫を引き付けるものである。虫の視覚としては、２４０ｎｍ〜５６０ｎｍの広い波長域の電磁波を感知する。このうち、２４０ｎｍ〜４００ｎｍは紫外線の領域であり、人間には感知できない範囲である。
【０００３】
よって、虫は上記した感知可能な電磁波が放射（反射も含む）されている物体に向かう傾向がある。特に、交尾のため同種のものが集まる光（電磁波）のもとに向かってより進むことは容易に想像がつく。このように考えると、電磁波であっても、より好む波長があるのである。言い換えれば、感度の高い電磁波の領域があるということであり、昆虫の種類によって好む波長も微妙に異なる。
【０００４】
また、虫は特定の波長の光が別個に放射されているよりも、全体として種々の波長が混合されたものを好む傾向がある。可視光のみで考えると、赤のランプや黄色のランプが別々に点灯しているのと、自然光のように全体として種々の波長が混合されたものとを比較すると、混合されたものが好まれるということである。
【０００５】
従来の蛍光灯や紫外線ランプは、比較的広範囲の波長の電磁波を照射するため問題はなかった。しかし、最近では、経費と寿命の問題から、発光源としてＬＥＤ（発光ダイオード）を用いることが多くなってきている。このＬＥＤは、放射する電磁波の波長範囲が非常に狭く、換言すると、放射する電磁波の波形がシャープ（横軸を波長にし、縦軸を放射レベルにした放射強度グラフで）であるということである。一般には、５０〜１００ｎｍ程度の幅である。
よって、紫外線用ＬＥＤで３６５ｎｍのものでは、実質的には３３０〜３８０ｎｍの電磁波しか照射されない（それも使用できる強度的には３５０〜３７０ｎｍのみが有効なことが多い）。
【０００６】
このようにＬＥＤは非常に狭い単一光（又は紫外線）を照射するため、虫にとっても、太陽光（自然光）のようには感じず、誘引効率は非常に低い。
【０００７】
さらに、ＬＥＤは、その電磁波の照射角（立体角）も小さい。最近は、相当広く１２０度程度まで広角に照射できるといわれているが、縁部では中心部と比較して電磁波の強度が弱く、全体に広角に照射しているとはいえない。このように、照射角が小さいと、どうしても光源が別々に識別でき、とても自然光のような感じがでない。よって、誘虫効率は悪くなる。
【０００８】
また、３原色のＬＥＤを用いて、種々の色に調整する装置も考案されている（特許文献１）。これは、高輝度ＬＥＤの赤発光、緑発光、青発光の集合体をポリカーボネート製筒に収納したものである。
しかし、これは可視光のみを意図しており、紫外線に関しては考慮されていない。
【先行技術文献】
【特許文献】
【０００９】
【特許文献１】特開２００４−２０１５１９号公報
【発明の概要】
【発明が解決しようとする課題】
【００１０】
そこで、本発明では、簡単な装置で、ＬＥＤを用いて紫外線を含む幅広い範囲の電磁波を照射する誘虫装置を提供する。
【課題を解決するための手段】
【００１１】
以上のような状況に鑑み、本発明者は鋭意研究の結果本発明誘虫装置を完成したものであり、その特徴とするところは、波長２３０〜４００ｎｍの電磁波を放射する紫外線用ＬＥＤを少なくとも１つと、波長４００ｎｍ以上の電磁波を放射する可視光用ＬＥＤを少なくとも１つ有し、それらのＬＥＤからの電磁波を反射して装置外に放射する反射具を有するものであって、該反射具は乱反射する点にある。
【００１２】
本発明において誘虫装置とは、虫の好む波長の電磁波を放射して虫を寄せ集めるものである。集める目的は自由である。捕虫、行かせたくない所から離すため、その他である。
【００１３】
波長２３０〜４００ｎｍの電磁波とは、一般的には紫外線と呼ばれる電磁波である。特に３６５ｎｍ前後が重要であり、その付近の電磁波を好む虫が多い。波長４００ｎｍ以上の電磁波とは可視光であり、７８０ｎｍ程度まで人間は知覚できる。その程度まで知覚できる虫もいるらしい。よって、ここでいう４００ｎｍ以上は、基本的には４００ｎｍ〜７８０ｎｍである。
【００１４】
本発明誘虫装置では、前記波長２３０〜４００ｎｍの電磁波を放射する紫外線用ＬＥＤが少なくとも１つあればよいが、実際には多数用いるのが普通である。例えば、２０〜１００個等である。
また、同じものでなく、異なる波長の紫外線を照射するものを複数種用いてもよい。例えば、２３０ｎｍのＬＥＤと３６５ｎｍのＬＥＤをどちらも多数使用する等である。
【００１５】
４００ｎｍ以上の可視光用ＬＥＤも同様であり、少なくとも１つあればよいが、実際には多数用いるのが普通である。例えば、２０〜１００個等である。勿論、同じものでなく異なるものでもよい。例えば、緑と青等である。
【００１６】
通常の光源ならば、広い範囲の波長の電磁波（光）を混合光として放射しているが、ＬＥＤの場合、非常に狭い範囲の波長の電磁波を放射する。よって、ＬＥＤによって、そのＬＥＤはどの波長の電磁波を放射するかが決まっている。その放射波長幅は一定ではないが、２０〜１００ｎｍ程度といわれている。本発明で波長という語は、このときの中心波長を指している。
【００１７】
本発明誘虫装置としては、紫外線用ＬＥＤと可視光用ＬＥＤの並べ方や数の比は自由である。まったくランダムに並べても、一定の規則で可視光と紫外線を並べてもよい。また、紫外線用ＬＥＤと可視光用ＬＥＤの数の比は、その虫によっても異なるものである。また、紫外線用ＬＥＤの出力が弱いということも（勿論逆も）あるため、それらを加味して数を調整してもよい。
【００１８】
また、本発明ＬＥＤは、点滅してもよい。例えば、１秒間に１〜１００回程度点滅するのがよい。点滅させた方が虫をより強く誘引するとの報告があるためである。
【００１９】
反射具とは、前記したＬＥＤからの電磁波を反射するものであり、その反射が乱反射である。乱反射とは、拡散反射ともいい、入射光が様々な角度で反射しているかのように見える。この反対が鏡面反射である。このような乱反射は、通常物質の表面で起こり、鏡面や塗料のつや出し等特殊な表面以外は乱反射である。例えば、一般的な塗料を塗布した表面（白い塗料等）等である。
【００２０】
本発明の装置は、この乱反射する反射具を用いて、それぞれのＬＥＤからの電磁波を混合する。混合するというより、それぞれのＬＥＤからの電磁波の反射波が種々の角度で放射されるため、混合したようになるのである。
【００２１】
上記した混合された電磁波が、本発明装置から放射されて周囲の虫を誘引する。そして、誘引された虫が本発明装置自体に又は本発明とは別個の捕虫装置によって捕虫されるのである。本発明は上記した誘虫がポイントであり、虫を捕獲する方法はポイントではない。よって、従来の捕獲方法を用いればよい。例えば、とまった虫を粘着剤によって固着捕獲する方法、ファンで吸引して捕獲する方法等である。
勿論、本発明装置に捕獲装置（捕虫装置も含む）を組み込んだり、本発明装置と捕獲装置を合体させたりしてもよい。
【００２２】
本発明では、上記した反射波（混合波）しか装置外に出ず、ＬＥＤからの直接電磁波は実質的に（厳密に数学的に絶対に出ないという意味ではない。例えば、装置を貫通するもの等）装置外に出ないようにしてもよい。これは、単色光は装置外に出さないようにして、虫に警戒させないようにするためである。
【００２３】
また、反射具に粘着剤を塗布してもよい。例えば、白色塗料を塗布した反射具に、透明の粘着剤を塗布するのである。虫にとっては反射具は電磁波の照射部であるので近づいていく。よって、そこが粘着部であることが好ましいのである。反射具に透明フィルムを貼り、その上に粘着剤を塗布してもよい。
【００２４】
請求項４でいう、表面処理とは、表面に印刷や塗装を施すことによって、反射光（紫外線を含む）を変化させることをいう。通常は、後述するように異なる色を印刷するのがよい。
【００２５】
即ち、反射具に色の異なる部分を設けてもよいということである。例えば、白と黒の市松模様にする等である。それも、細かい模様ではなく一辺が１ｃｍ〜１０ｃｍ程度の模様がよい。また、白と黒の縞模様でもよい。
このように色違い部を設けると、その境界部に虫が引かれ、黒い部分に止まり易い等といわれている。勿論、白と黒でなくても他の色でもよい。色で識別できるということは可視光の反射が異なることであるが、紫外線の反射が異なるようにしてもよい。これは人間の目ではわからないが、虫には分かるためである。
【発明の効果】
【００２６】
本発明誘虫装置には次のような大きな利点がある。
（１）  ＬＥＤを使用しているにもかかわらず、種々の混合電磁波が照射できる。よって、誘虫効果が高い。
（２）  ＬＥＤ以外は反射具のみで最低限可能であり、安価である。
（３）  紫外線照射を含むため、誘虫効果が大きい。
【図面の簡単な説明】
【００２７】
【図１】本発明誘虫装置の原理を示す概略図である。
【図２】本発明誘虫装置の１例を示す断面図である。
【図３】本発明誘虫装置の反射具の１例を示す平面図である。
【発明を実施するための形態】
【００２８】
以下実施例に基づいて、本発明をより詳細に説明するが、実施例は１例であって、本発明をこれに限定するものではない。
図１は、本発明の混合の原理を示すもので、（ａ）はＬＥＤを多数水平に設置したものの平面図の一部（ＬＥＤが２つのみ）である。２種のＬＥＤ１から電磁波（ここでは青２と緑３）が照射された模式図であり、反射具４からの反射波は記載していない。この（ａ）から分かるようにＬＥＤ１からの電磁波は、広い角度で照射されるのではなく、非常に狭い立体角度（９０度〜１２０度程度）で照射されている。これでは、異なる波長の電磁波を混合するのは難しい。
【００２９】
図１（ｂ）は、（ａ）の反射波のみを示したものである。青２の光が反射すると角度２ａで反射し、広い角度で照射される。このように反射具４が乱反射するため広い角度になる。同様に緑３の光も広い角度３ａで照射される。（ａ）で分かるように、入射光はまったく混合されていないにもかかわらず、反射光は、交わる角度５ａで混合されていることが分かる。
【００３０】
この例では２つのＬＥＤ１のみを示したが、実際は多数のＬＥＤを用いることや、ＬＥＤから反射具までの距離等によってより複雑に混合される。勿論、紫外線も同様である。
【００３１】
図２は、本発明誘虫装置６の１例を示す断面図である。多数のＬＥＤ１（この図では上下の２つが見えているが、水平方向に多数あり）が傾斜して固着されている。このＬＥＤ１から電磁波が照射され、反射具４で乱反射され装置外に照射される。この例の反射具４は、アルミニウムの艶消し板であり、図のように湾曲している。このため、非常に広い角度（広い範囲に渡って）で照射される。且つ、ＬＥＤ１が下方に存在しているため、ＬＥＤ１からの直接波は装置外に出ない。
この図で言えば、左端の開口部から左が装置外である。
勿論、反射具は平面状のものでも、また複数枚を用いてもよい。
【００３２】
この例では、紫外線用ＬＥＤも可視光用ＬＥＤも、複数種用いてそれぞれをランダムに設置している。よって、混合した電磁波が広い範囲に照射できる。
【００３３】
この図２の例では、反射具４の表面に透明のフィルムが貼られ、その表面に粘着剤が塗布されている。よって、虫が捕獲されると、その透明フィルムを剥離し捨てる。
【００３４】
図３は、本発明の反射具４の１例を示す正面図である。ＬＥＤ１からの電磁波を反射する面を示している。この例では、市松模様に印刷している。これによって、虫には光の境界が感じられ、そこにひかれることもある。また、黒い部分は、電磁波が照射していないか非常に少ないため、その部分に身を隠すために止るとも考えられている。
【００３５】
これを種々の飛翔昆虫に対して誘虫効果を試したが、相当の効果が認められた。
【符号の説明】
【００３６】
１  ＬＥＤ
２  青
２ａ  青の反射波の角度
３  緑
３ａ  緑の反射波の角度
４  反射具
５ａ  反射の混合角度
６  本発明装置
【図１】
2018027028.tif 000003
【図２】
2018027028.tif 000004
【図３】
2018027028.tif 000005